(57)【要約】【課題】  錠剤タブレットに散薬等が混入するのを防止するとともに、処方箋を確実に保持することができる薬剤分配装置の蓋体を提供する。【解決手段】  蓋体３がその下端部３ｂが蝶着部材３２により蝶着されることにより薬剤分配装置の上面に取り付けられている。しかも、当該蓋体３の上端部３ｔ近傍には内向き（上端部３ｔに向いて挟み口３１ａを有する）クリップ３１が設けられる。【選択図】          図１
2006238986.tif 000002
【特許請求の範囲】
【請求項１】
複数の錠剤マスを有する錠剤タブレットを備えた薬剤分配装置における錠剤タブレットの上面に下端部が蝶着されて設けられた蓋体であって、
処方箋を挟持する挟持手段を具備することを特徴とする薬剤分配装置の蓋体。
【請求項２】
前記挟持手段は、蓋体の上端部近傍に内向きに設けられることを特徴とする請求項１記載の薬剤分配装置の蓋体。
【請求項３】
前記挟持手段は、蓋体の側方端部近傍に内向きに設けられることを特徴とする請求項１記載の薬剤分配装置の蓋体。
【請求項４】
前記挟持手段は、閉蓋時において前記錠剤タブレットの複数の錠剤マスの外側に位置し、かつ、薬剤分配装置の上面に設けられた挟持手段収容部に収容されることを特徴とする請求項１〜３のいずれかに記載の薬剤分配装置の蓋体。
【請求項５】
前記挟持手段は、蓋体の前記錠剤タブレットの錠剤マスに対応する位置に設けられ、閉蓋時に当該錠剤マス内に収容されることを特徴とする請求項１〜３のいずれかに記載の薬剤分配装置の蓋体。
【請求項６】
前記挟持手段は、差し込みクリップであることを特徴とする請求項１〜５のいずれかに記載の薬剤分配装置の蓋体。
【請求項７】
複数の錠剤マスを有する錠剤タブレットを備えた薬剤分配装置における錠剤タブレットの上面に下端部が蝶着されて設けられた蓋体であって、
蓋体の少なくとも一部領域に開口部を有し、
当該開口部に、閉蓋時に前記錠剤タブレットが対向する面とは反対側から空気を吸引すべく設けられた吸引機構を具備することを特徴とする薬剤分配装置の蓋体。
【請求項８】
前記吸引機構は、前記薬剤分配装置に用いられる集塵手段を動力源とすることを特徴とする請求項７記載の薬剤分配装置の蓋体。
【請求項９】
蓋体の上端部より延長可能な、処方箋をガイドするための延長部を具備することを特徴とする請求項１〜８に記載の薬剤分配装置の蓋体。
【発明の詳細な説明】
【技術分野】
【０００１】
本発明は、複数の錠剤マスを有する錠剤タブレットを備えた薬剤分配装置の蓋体に関する。
【背景技術】
【０００２】
散薬や錠剤（散薬等をカプセルに入れたものを含む、以下同じ）等の薬剤を自動的に分配する薬剤分配装置が備えられ、この薬剤分配装置にて分配された薬剤を包装用部材（例えば、長尺の包装シート）に投入し、該薬剤が投入された包装シートにヒートシール等を行い、個々に区画された包装体を形成する薬剤分包装置が公知である（例えば、特許文献１〜５参照）。
【０００３】
この薬剤分包装置に備えられる薬剤分配装置は、例えば、散薬分配部と錠剤分配部とを具備し、それぞれにおいて散薬および錠剤を処方に基づいて分配する。
【０００４】
このような薬剤分配装置においては、散薬分配部（散薬投入口）に散薬が付着してると次回の分包時に異種の散薬を分包する際、残留した散薬が混入してしまうおそれがあるため、分配作業ごとに集塵ポンプによる吸引等により、清掃することとしている。
【０００５】
この際、錠剤分配部側に当該散薬、塵または埃等が混入するのを防止するために、錠剤分配部の錠剤投入口（錠剤タブレット）に蓋体を設けた構成が開示されている（例えば、特許文献６参照）。
【０００６】
特許文献１によれば、当該蓋体の蝶着部近傍に一方向に並ぶ複数の突起片からなり処方箋を保持する保持部材が設けられている。
【特許文献１】特開２００４−２１５７７０号公報
【特許文献２】特開２００４−２１５７７３号公報
【特許文献３】特開２００４−２１５７７５号公報
【特許文献４】特開２００４−２１５７７６号公報
【特許文献５】特開２００４−２１５７７８号公報
【特許文献６】特許第３５９４４７５号公報
【発明の開示】
【発明が解決しようとする課題】
【０００７】
しかし、このような従来の蓋体においては、以下のような問題があった。すなわち、特許文献１のような保持部材は、処方箋を立てかけるだけの機能しか有しないため、特にＡ４サイズ等の一般的な処方箋は容易に倒れてしまうという問題があった。特に、蓋体の前後長（蝶着部と他端部との長さ）より処方箋の縦方向長さの方が長い場合には、蓋体による支えのない部分が撚れてしまい、作業者に見辛くなるため、ガイドで延長する必要が生じるという問題もあった。
【０００８】
本発明は、かかる従来技術の問題点を解決するべくなされたもので、錠剤タブレットに散薬等が混入するのを防止するとともに、処方箋を確実に保持することができる薬剤分配装置の蓋体を提供することを目的とする。
【課題を解決するための手段】
【０００９】
本発明に係る薬剤分配装置の蓋体の一形態は、複数の錠剤マスを有する錠剤タブレットを備えた薬剤分配装置における錠剤タブレットの上面に下端部が蝶着されて設けられた蓋体であって、処方箋を挟持する挟持手段を具備するものである。
【００１０】
上記構成に係る薬剤分配装置の蓋体によれば、蓋体がその下端部が蝶着されることにより薬剤分配装置の上面に取り付けられている。しかも、蓋体には、処方箋を挟持する挟持手段が設けられる。
【００１１】
したがって、大きいサイズ（Ａ４サイズ程度）の処方箋であっても処方箋を挟持することにより、確実に処方箋を保持することができるとともに、清掃時、蓋体を閉蓋することにより、錠剤タブレットに散薬等が混入するのを防止することができる。
【００１２】
好ましくは、蓋体の上端部近傍に内向きに設けられた挟持手段を具備するように構成される。
【００１３】
この場合、蓋体がその下端部が蝶着されることにより薬剤分配装置の上面に取り付けられている。しかも、当該蓋体の上端部近傍には内向きに（上端部に向いて挟み口を有する）挟持手段が設けられる。
【００１４】
したがって、大きいサイズ（Ａ４サイズ程度）の処方箋であっても処方箋の上端部を挟持することにより、確実に処方箋を保持することができるとともに、清掃時、蓋体を閉蓋することにより、錠剤タブレットに散薬等が混入するのを防止することができる。
【００１５】
あるいは、蓋体の側方端部近傍に内向きに設けられた挟持手段を具備するように構成されることが好ましい。
【００１６】
この場合、蓋体がその下端部が蝶着されることにより薬剤分配装置の上面に取り付けられている。しかも、当該蓋体の側方端部近傍には内向きに（蓋体の面の中心に向いて挟み口を有する）挟持手段が設けられる。
【００１７】
したがって、大きいサイズ（Ａ４サイズ程度）の処方箋であっても処方箋の側方を挟持することにより、確実に処方箋を保持することができるとともに、清掃時、蓋体を閉蓋することにより、錠剤タブレットに散薬等が混入するのを防止することができる。
【００１８】
好ましくは、前記挟持手段は、閉蓋時において前記錠剤タブレットの複数の錠剤マスの外側に位置し、かつ、薬剤分配装置の上面に設けられた挟持手段収容部に収容されるように構成される。
【００１９】
この場合、挟持手段は、蓋体の閉蓋時において薬剤分配装置の上面に設けられた挟持手段収容部に収容される。挟持手段によっては、処方箋を挟持手段に挟む際に、作業者（薬剤師等）が手で触れる場合があり、このような挟持手段を閉蓋時に錠剤タブレットの錠剤マスに合わせて配置し、当該錠剤マス内に入れ込んで収容すると、衛生的に問題が生じる場合がある。したがって、このような場合には特に、錠剤マス外に専用の挟持手段収容部を設け、蓋体が閉蓋時に隙間なく閉蓋可能とすることにより、錠剤タブレットへの散薬や塵等の混入を確実に防止するとともに、錠剤タブレット内を衛生的に保つことができる。
【００２０】
あるいは、前記挟持手段は、蓋体の前記錠剤タブレットの錠剤マスに対応する位置に設けられ、閉蓋時に当該錠剤マス内に収容されるように構成されることが好ましい。
【００２１】
この場合、挟持手段は、閉蓋時において所定の錠剤マス内に収容される。したがって、別途挟持手段収容部を設けることなく、蓋体を閉蓋時に隙間なく閉蓋可能とすることができるため、従来からある薬剤分配装置にも容易に取り付ける（または取り替える）ことができる。
【００２２】
好ましくは、前記挟持手段は、差し込みクリップであるように構成される。
【００２３】
この場合、処方箋（紙片）を差し込みクリップの挟み口に差し込むだけで処方箋が差し込みクリップに挟持される。したがって、作業者は、処方箋を挟持手段に挟む際に、挟持手段を手で持つ必要がなくなり、手間を省いて作業の効率化を図ることができるとともに衛生的にも良好な状態を保つことができる。
【００２４】
また、本発明に係る薬剤分配装置の蓋体の他の一形態は、複数の錠剤マスを有する錠剤タブレットを備えた薬剤分配装置における錠剤タブレットの上面に下端部が蝶着されて設けられた蓋体であって、蓋体の少なくとも一部領域に開口部を有し、当該開口部に、閉蓋時に前記錠剤タブレットが対向する面とは反対側から空気を吸引すべく設けられた吸引機構を具備するものである。
【００２５】
上記構成に係る薬剤分配装置の蓋体によれば、蓋体がその下端部が蝶着されることにより薬剤分配装置の上面に取り付けられている。しかも、蓋体の少なくとも一部領域に開口部が設けられ、蓋体閉蓋時に錠剤タブレットが対向する面（処方箋を載置する面）とは反対側（処方箋を載置する面の裏側）に吸引機構が設けられ、処方箋を載置した際に裏側から空気を吸引することにより、処方箋を保持する。
【００２６】
したがって、処方箋のサイズに関わらず、処方箋を載置した蓋体の裏側から吸引して吸着させることにより、確実に処方箋を保持することができるとともに、清掃時、蓋体を閉蓋することにより、錠剤タブレットに散薬等が混入するのを防止することができる。
【００２７】
好ましくは、前記吸引機構は、前記薬剤分配装置に用いられる集塵手段を動力源とするように構成される。
【００２８】
この場合、薬剤分配装置に用いられる集塵手段（集塵ポンプ等）を吸引機構の動力源としても適用させる。したがって、集塵手段が備えられている薬剤分配装置においては、吸引機構のために別途動力源を設けることなく、処方箋の吸引による保持を実現することができるため、低コストかつ省スペースな薬剤分配装置を容易に実現することができる。
【００２９】
好ましくは、蓋体の上端部より延長可能な、処方箋をガイドするための延長部を具備するように構成される。
【００３０】
この場合、処方箋を挟持手段により挟持させる際に蓋体の上端部より延長部を延長させて、処方箋をガイドさせる。したがって、挟持手段または吸引機構により処方箋を確実に保持することに加えて、延長部により処方箋をより安定させることができる。
【発明の効果】
【００３１】
本発明に係る薬剤分配装置の蓋体によれば、大きいサイズの処方箋であっても処方箋を挟持したり、処方箋を載置した蓋体の裏側から吸引して貼り付けさせたりすることにより、確実に処方箋を保持することができるとともに、清掃時、蓋体を閉蓋することにより、錠剤タブレットに散薬等が混入するのを防止することができる。
【発明を実施するための最良の形態】
【００３２】
以下、添付図面を参照しつつ、本発明を実施するための最良の形態について説明する。まず、本発明の第１実施形態について説明する。図１は本発明の第１実施形態における薬剤分配装置を備えた薬剤分包装置の外観図である。図１（ａ）は全体図であり、図１（ｂ）はクリップ近傍の拡大図である。
【００３３】
本実施形態の薬剤分包装置は、散薬や錠剤（散薬等をカプセルに入れたものを含む、以下同じ）等の薬剤を自動的に分配する薬剤分配装置が備えられ、この薬剤分配装置にて分配された薬剤を包装用部材（例えば、長尺の包装シート）に投入し、該薬剤が投入された包装シートにヒートシール等を行い、個々に区画された包装体を形成するものである。このような薬剤分配装置を備えた薬剤分包装置の詳細については、例えば、前記特許文献１〜５を参照できる。
【００３４】
この薬剤分包装置に備えられる薬剤分配装置は、散薬分配部１と錠剤分配部２とを具備し、それぞれにおいて散薬および錠剤を処方に基づいて分配する。錠剤分配部２は、複数の錠剤マス２１を有する錠剤タブレット２２を備えている。そして、本薬剤分配装置においては、分配作業ごとに集塵ポンプ（図１においては図示せず）による吸引により、散薬分配部１および錠剤分配部２上面を清掃する。本実施形態の薬剤分包装置には、清掃時に薬剤分配部２への散薬および塵等の混入を防止すべく蓋体３が設けられている。
【００３５】
本実施形態における薬剤分配装置の蓋体３は、図１に示すように、薬剤分配装置の錠剤タブレット２２の上面に下端部３ｂが蝶着部材３２により蝶着されて設けられた蓋体３であって、蓋体３の上端部３ｔ近傍に内向き（下向き）に設けられたクリップ（挟持手段）３１を具備するものである。なお、本実施形態における蓋体３は、アクリル樹脂等により矩形板状に形成されるが、薬剤分配装置の錠剤タブレット２２の態様に合わせて、閉蓋時にすべての錠剤マス２１が覆われるように種々の形状に形成すればよい。
【００３６】
上記構成に係る薬剤分配装置の蓋体３によれば、蓋体３がその下端部３ｂが蝶着部材３２により蝶着されることにより薬剤分配装置の上面（錠剤タブレット２２上）に取り付けられている。しかも、当該蓋体３の上端部３ｔ近傍には内向き（上端部３ｔに向いて挟み口３１ａを有する）クリップ３１が設けられる。
【００３７】
したがって、図１（ｂ）に示すように、大きなサイズの処方箋４であっても処方箋４の上端部４ｔを挟持することにより、確実に処方箋４を保持することができるとともに、清掃時、蓋体３を閉蓋することにより、錠剤タブレット２２に散薬等が混入するのを防止することができる。
【００３８】
なお、このようなクリップ３１が閉蓋時において錠剤タブレット２２の上面（平面部分）に来るような位置に設けると、蓋体３を閉蓋した際にクリップ３１が蓋体３の閉蓋を邪魔するため、蓋体３が完全に閉蓋できない。
【００３９】
そこで、本実施形態におけるクリップ３１は、閉蓋時において前記錠剤タブレット２２の複数の錠剤マス２１の外側に位置し、かつ、薬剤分配装置の上面（本実施形態においては錠剤タブレット２２の周辺部上）に設けられたクリップ収容部（挟持手段収容部）２３に収容されるように構成される。
【００４０】
この場合、クリップ３１は、蓋体３の閉蓋時において薬剤分配装置の上面に設けられたクリップ収容部２３に収容される。クリップ３１によっては、処方箋４をクリップ３１に挟む際に、作業者（薬剤師等）が手で触れる場合があり、このようなクリップ３１を閉蓋時に錠剤タブレット２２の錠剤マス２１に合わせて配置し、当該錠剤マス２１内に入れ込んで収容すると、衛生的に問題が生じる場合がある。したがって、このような場合には特に、錠剤マス２１外に専用のクリップ収容部２３を設け、蓋体３が閉蓋時に隙間なく閉蓋可能とすることにより、錠剤タブレット２２への散薬や塵等の混入を確実に防止するとともに、錠剤タブレット２２内を衛生的に保つことができる。
【００４１】
なお、クリップ収容部２３は、単に蓋体３の閉蓋時におけるクリップ３１の待避場所として構成してもよいが、蓋体３の閉蓋時にクリップ収容部２３においてクリップ３１を保持する保持機能を有することとしてもよい。例えば、クリップ３１とクリップ収容部２３とが嵌合可能に構成すること、クリップ３１を鉄等の磁性の強い金属により構成し、クリップ収容部２３の底面に磁石を取り付けて（逆でもよい）その磁力によりクリップ３１を保持する等により実現できる。
【００４２】
本実施形態において、前記クリップ３１は、差し込みクリップであるように構成される。
【００４３】
この場合、処方箋４をクリップの挟み口３１ａに差し込むだけで処方箋４がクリップ３１に挟持される。したがって、作業者は、処方箋４をクリップ３１に挟む際に、クリップ３１を手で持つ必要がなくなり、手間を省いて作業の効率化を図ることができるとともに衛生的にも良好な状態を保つことができる。
【００４４】
続いて、本発明の第２実施形態について説明する。図２は本発明の第２実施形態における薬剤分配装置を備えた薬剤分包装置の外観図である。図２（ａ）は全体図であり、図２（ｂ）はクリップ近傍の拡大図である。本実施形態において第１実施形態と同様の構成には同じ符号を付し、説明を省略する。
【００４５】
本実施形態が第１実施形態と異なる点は、クリップ３１が蓋体３の側方端部３ｓ近傍に内向き（横向き）に設けられることである。
【００４６】
このように、蓋体３の側方端部３ｓ近傍には内向き（蓋体３の面の中心に向いて挟み口３１ａを有する）クリップ３１が設けられる。
【００４７】
したがって、本実施形態においても、処方箋４の側方４ｓを挟持することにより、確実に処方箋４を保持することができるとともに、清掃時、蓋体３を閉蓋することにより、錠剤タブレット２２に散薬等が混入するのを防止することができる。
【００４８】
なお、本実施形態においては、蓋体３の両側の側方端部３ｓのそれぞれにクリップ３１が設けられているが、片側のみでもよく、また、左右のクリップ位置が所定の幅（例えば、Ａ４サイズ幅）になるように設けてもよい。
【００４９】
続いて、本発明の第３実施形態について説明する。図３は本発明の第３実施形態における薬剤分配装置を備えた薬剤分包装置の外観図である。本実施形態において第１および第２実施形態と同様の構成には同じ符号を付し、説明を省略する。
【００５０】
本実施形態が第２実施形態と異なる点は、蓋体３の上端部３ｔより延長可能な、処方箋をガイドするための延長部３３を具備し、当該延長部３３の上端部３３ｔ近傍にクリップ３１が内向き（下向き）に設けられるように構成されること、および、クリップ３１は、蓋体３の錠剤タブレット２２の錠剤マス２１に対応する位置に設けられ、閉蓋時に当該錠剤マス２１内に収容されるように構成されることである。
【００５１】
本実施形態においては、蓋体３の上端部３ｔおよび延長部３３の下端部が蝶着されており、延長部３４を回動させて、蓋体３の面と略一面となる位置で固定可能に構成されている。
【００５２】
開蓋時（処方箋をクリップ３１により挟持させる際）においては、延長部３３を回動させて、蓋体３の面と略一面となる位置で固定することにより、蓋体３の上端部３ｔより延長部３３を延長させて、処方箋をガイドさせる。したがって、クリップ３１により処方箋を確実に保持することに加えて、延長部３４により処方箋をより安定させることができる。
【００５３】
一方、閉蓋時においては、延長部３３を回動させて蓋体３の背面（閉蓋時上面）に回動させるので、延長部３３が邪魔になることがない。また、閉蓋時、クリップ３１は、閉蓋所定の錠剤マス２１内に収容される。したがって、別途クリップ収容部（第１および第２実施形態参照）を設けることなく、蓋体３を閉蓋時に隙間なく閉蓋可能とすることができる。これにより、従来からある薬剤分配装置にも容易に取り付ける（または取り替える）ことが可能である。
【００５４】
なお、延長部３４は、蓋体３の背面を摺動可能に取り付けられることとしてもよいし、蓋体３の一部が分割して延長可能とする構成としてもよい。
【００５５】
上記第１、第２および第３実施形態においては、上端部近傍（下向き）および／または側方端部近傍（横向き）にクリップ３１を設けることとしているが、これらとは異なる向きにクリップを設けることとしてもよい。また、クリップの方向が変更可能に構成されてもよい。さらに、複数のクリップ３１を設けることとしているが、いずれか１つでもよいし、その位置や大きさは特に限定されない。また、クリップ３１のある端部（上端部３ｔまたは側方端部３ｓ）の略全域に亘って１つの（横長）クリップ３１を構成することも可能である。また、クリップ３１の形状、方式も上記および図の例に限られず、種々適用可能である。
【００５６】
次に、本発明の第４実施形態について説明する。図４は本発明の第４実施形態における薬剤分配装置を備えた薬剤分包装置の外観図である。図４（ａ）は全体図であり、図４（ｂ）は蓋体の背面の様子を説明するための拡大側面図である。本実施形態において第１実施形態と同様の構成には同じ符号を付し、説明を省略する。
【００５７】
本実施形態が第１実施形態と異なる点は、蓋体３の少なくとも一部領域に開口部３４を有し、当該開口部３４に、閉蓋時に前記錠剤タブレット２２が対向する面３Ｆとは反対側（蓋体３の背面：面３Ｂ）から空気を吸引すべく設けられた吸引機構３５を具備するものである。
【００５８】
上記構成に係る薬剤分配装置の蓋体３によれば、蓋体３の少なくとも一部領域に開口部３４が設けられ、蓋体閉蓋時に錠剤タブレット２２が対向する面（処方箋（図４には示さず）を載置する面）３Ｆとは反対側（処方箋を載置する面の裏側）の面３Ｂ側に吸引機構３５が設けられ、処方箋を載置した際に裏側から空気を吸引することにより、処方箋を保持する。
【００５９】
したがって、処方箋のサイズに関わらず、処方箋を載置した蓋体３の裏側（面３Ｂ）から吸引して吸着させることにより、確実に処方箋を保持することができるとともに、清掃時、蓋体３を閉蓋することにより、錠剤タブレット２２に散薬等が混入するのを防止することができる。
【００６０】
本実施形態において、前記吸引機構３５は、前記薬剤分配装置に用いられる集塵ポンプ（集塵手段）３６を動力源とするように構成される。本実施形態においては、図４（ｂ）に示すように吸引機構３５は、開口部３４と集塵ポンプ３６とを空気パイプ３７を介して接続して構成される。
【００６１】
この場合、薬剤分配装置（における散薬の残薬等の清掃）に用いられる集塵手段（例えば、掃除機、集塵装置等の集塵ポンプ）を吸引機構３５の動力源としても用いられる。したがって、集塵ポンプ３６が備えられている薬剤分配装置においては、吸引機構３５のために別途動力源を設けることなく、処方箋の吸引による保持を実現することができるため、低コストかつ省スペースな薬剤分配装置を容易に実現することができる。
【００６２】
なお、本実施形態における集塵ポンプ３６は、薬剤分包装置に内蔵されている（図４参照）が、これに限られるものではなく、別の装置として構成される集塵装置等の集塵ポンプを使用することとしてもよい。
【００６３】
また、集塵ポンプ３６は、清掃時（掃除機）と分包作業時（吸引機構３５）とで使用する機構を切り替え可能な切り替えバルブ（図示せず）を介してそれぞれの機構に接続されることが好ましい。
【図面の簡単な説明】
【００６４】
【図１】本発明の第１実施形態における薬剤分配装置を備えた薬剤分包装置の外観図である。
【図２】本発明の第２実施形態における薬剤分配装置を備えた薬剤分包装置の外観図である。
【図３】本発明の第３実施形態における薬剤分配装置を備えた薬剤分包装置の外観図である。
【図４】本発明の第４実施形態における薬剤分配装置を備えた薬剤分包装置の外観図である。
【符号の説明】
【００６５】
２１  錠剤マス
２２  錠剤タブレット
２３  クリップ収容部（挟持手段収容部）
３  蓋体
３ｂ  下端部
３ｔ  上端部
３ｓ  側方端部
３１  クリップ（挟持手段）
３３  延長部
３４  開口部
３５  吸引機構
３６  集塵ポンプ（集塵手段）
【図１】
2006238986.tif 000003
【図２】
2006238986.tif 000004
【図３】
2006238986.tif 000005
【図４】
2006238986.tif 000006